(57)【要約】【課題】高い意匠性を有するＱＲコードを提供する。【解決手段】二次元コードは、二進コードで表されるデータを区分されたセル毎の彩色の濃淡によって表現するデータパターン２５及びデータパターン２５の位置を特定するためのマーカパターン２１を、二次元のマトリックス上の所定位置に配置して生成されるシンボル領域２３と、シンボル領域２３の背景側に描かれる背景パターン２７と、シンボル領域２３の前景側に描かれるストロークパターン２９と、任意の図形若しくは団体名が表示されたロゴイメージ１５と、を重ね合わせて生成され、データパターン２５は、濃色に着色される領域が単一のセルの面積よりも小さいセル４を有して構成され、マーカパターン２１は非対称な図形で構成される。【選択図】図１
2010026665.tif 000002
【特許請求の範囲】
【請求項１】
二進コードで表されるデータを区分されたセル毎の彩色の濃淡によって表現するデータパターンと、
前記データパターンの位置を特定するためのマーカパターンと、を二次元のマトリックス上の所定位置に配置して生成される二次元コードであって、
前記データパターンは、濃色に着色される領域が単一のセルの面積よりも小さいセルを有して構成され、
前記マーカパターンは非対称な図形で構成されることを特徴とする二次元コード。
【請求項２】
二進コードで表されるデータを区分されたセル毎の彩色の濃淡によって表現するデータパターン、及び、前記データパターンの位置を特定するためのマーカパターンを、二次元のマトリックス上の所定位置に配置して生成されるシンボル領域と、
前記シンボル領域の背景側に描かれる背景パターンと、を重ね合わせて生成される二次元コードであって、
前記データパターンは、濃色に着色される領域が単一のセルの面積よりも小さいセルを有して構成され、
前記マーカパターンは非対称な図形で構成され、
前記背景パターンは、淡色に着色されると共に、少なくとも前記シンボル領域の一部に重なる範囲に配置されることを特徴とする二次元コード。
【請求項３】
二進コードで表されるデータを区分されたセル毎の彩色の濃淡によって表現するデータパターン、及び、前記データパターンの位置を特定するためのマーカパターンを、二次元のマトリックス上の所定位置に配置して生成されるシンボル領域と、
二進コードで表されるデータを含まないイメージパターンと、を重ね合わせて生成される二次元コードであって、
前記データパターンは、濃色に着色される領域が単一のセルの面積よりも小さいセルを有して構成され、
前記マーカパターンは非対称な図形で構成され、
前記イメージパターンは、前記シンボル領域の背景側に描かれる背景パターンと、前記シンボル領域の前景側に描かれるストロークパターンと、からなり、
前記背景パターンは、淡色に着色されると共に、少なくとも前記シンボル領域の一部に重なる範囲に配置され、前記ストロークパターンは、淡色若しくは濃色に着色されると共に、少なくとも前記シンボル領域の一部に重なる範囲に配置されることを特徴とする二次元コード。
【請求項４】
二進コードで表されるデータを区分されたセル毎の彩色の濃淡によって表現するデータパターン、及び、前記データパターンの位置を特定するためのマーカパターンを、二次元のマトリックス上の所定位置に配置して生成されるシンボル領域と、
二進コードで表されるデータを含まないイメージパターンと、
任意の図形若しくは団体名が表示されたロゴイメージと、を重ね合わせて生成される二次元コードであって、
前記データパターンは、濃色に着色される領域が単一のセルの面積よりも小さいセルを有して構成され、
前記マーカパターンは非対称な図形で構成され、
前記イメージパターンは、前記シンボル領域の背景側に描かれる背景パターンと、前記シンボル領域の前景側に描かれるストロークパターンと、からなり、前記背景パターンは、淡色に着色されると共に、少なくとも前記シンボル領域若しくは前記ロゴイメージの一部に重なる範囲に配置され、前記ストロークパターンは、淡色若しくは濃色に着色されると共に、少なくとも前記シンボル領域若しくは前記ロゴイメージの一部に重なる範囲に配置されることを特徴とする二次元コード。
【請求項５】
前記データパターンは、淡色に着色されるセルの一部が濃色に着色されると共に、濃色に着色される領域同士の境界部分が濃色に着色される部分を有することを特徴とする請求項１乃至４のいずれか１項に記載の二次元コード。
【請求項６】
前記マーカパターンは、前記ロゴイメージに含まれる図形を有してなることを特徴とする請求項１乃至５のいずれか１項に記載の二次元コード。
【請求項７】
前記データパターン若しくは前記マーカパターンは、淡色に着色された領域と濃色に着色された領域との境界に着色される色彩の明度が連続して変化することを特徴とする請求項１乃至６のいずれか１項に記載の二次元コード。
【発明の詳細な説明】
【技術分野】
【０００１】
本発明は、意匠性に優れた二次元コードに関するものである。
【背景技術】
【０００２】
従来、所定のフォーマット情報に基づいて、白色又は黒色のいずれかに着色された正方形のセル（モジュール）を２次元に配置してデータを記録する二次元コードが知られている。二次元コードは、１次元コード（例えば、バーコード）と比較して記録できる情報量を多くすることができる。このような二次元コードの規格としてＱＲコード（登録商標：デンソーウェーブ）が知られている（特許文献１，非特許文献１参照）。
【０００３】
しかし、通常のＱＲコードは、図７に示すように、淡色（白色）若しくは濃色（黒色）に着色されたモジュール（セル）の配列によって情報が記録されるため、人間が視認しても理解することができない。そのため、無味乾燥な印象を与えＱＲコードを添付した広告媒体や商品容器などの意匠性を低下させるという危惧があった。
【０００４】
そこで、淡色として識別される彩色のみを用いて形成したロゴマークなどのイメージ像をＱＲコードに重ね合わせることで、ＱＲコードスキャナでの読み取りに影響を与えることなくＱＲコード自体の意匠性を向上する技術が開示されている（例えば、特許文献２参照）。
また、ＱＲコードのデータの記録に用いられていないセルを利用して、ＱＲコードのシンボル領域内にイメージを合成し、意匠性を向上する技術が開示されている（例えば、特許文献３参照）。
【０００５】
【特許文献１】特許第２９３８３３８号
【特許文献２】特開２００６−３０２０５０号公報
【特許文献３】特許第３９５７７３４号
【非特許文献１】日本工業規格  ＪＩＳ  Ｘ０５０１：２００４
【発明の開示】
【発明が解決しようとする課題】
【０００６】
しかしながら、特許文献２の技術では、合成したイメージ像が淡い色で表現されることから、個々のセルに着色された濃淡が目立ち、作製されたＱＲコード全体から受ける印象としては必ずしも無味乾燥な印象を払拭することはできなかった。また、特許文献３の技術では、シンボル領域内にイメージ像を表現することができるが、データの記録に用いられていないセルのみを用いて表現するために合成可能なイメージ像の大きさには限界があり十分な意匠性を付加することが困難な場合があった。
【０００７】
本発明の目的は、上記問題点に鑑み、より高い意匠性及び付加価値を有する二次元コードを提供することである。
【課題を解決するための手段】
【０００８】
前記課題は、請求項１に係る二次元コードによれば、二進コードで表されるデータを区分されたセル毎の彩色の濃淡によって表現するデータパターンと、前記データパターンの位置を特定するためのマーカパターンと、を二次元のマトリックス上の所定位置に配置して生成される二次元コードであって、前記データパターンは、濃色に着色される領域が単一のセルの面積よりも小さいセルを有して構成され、前記マーカパターンは非対称な図形で構成されることにより解決される。
【０００９】
このように、濃色に着色される領域が単一のセルの面積よりも小さいセルを有して構成されるデータパターンと、非対称な図形で構成されるマーカパターンと、を所定位置に配置して生成されることにより、データの読み取りができ、且つ、直線で構成された図形に代えて曲線若しくは非対称な線図から構成される図形によってＱＲコードを構成することができるため、二次元コード全体から無味乾燥な印象を払拭することができ、より高い意匠性を有する二次元コードを得ることができる。
【００１０】
前記課題は、請求項２に係る二次元コードによれば、二進コードで表されるデータを区分されたセル毎の彩色の濃淡によって表現するデータパターン、及び、前記データパターンの位置を特定するためのマーカパターンを、二次元のマトリックス上の所定位置に配置して生成されるシンボル領域と、前記シンボル領域の背景に描かれる背景パターンと、を重ね合わせて生成される二次元コードであって、前記データパターンは、濃色に着色される領域が単一のセルの面積よりも小さいセルを有して構成され、前記マーカパターンは、非対称な図形で構成され、前記背景パターンは、淡色に着色されると共に、少なくとも前記シンボル領域の一部に重なる範囲に配置されることにより解決される。
【００１１】
このように、濃色に着色される領域が単一のセルの面積よりも小さいセルを有して構成されるデータパターンと非対称な図形で構成されるマーカパターンとを所定位置に配置して生成されるシンボル領域と、淡色に着色されると共に、少なくともシンボル領域の一部に重なる範囲に配置される背景パターンとを重ね合わせて二次元コードが生成されることにより、データの読み取りができ、且つ、曲線若しくは非対称な線図から構成される図形によってシンボル領域を構成することができ、また、シンボル領域の背景に任意のイメージパターンを描くことができる。そのため、二次元コード全体から無味乾燥な印象を払拭することができると共に、背景パターンによって視覚的な情報を付加することができ、より高い意匠性を有する二次元コードを得ることができる。
【００１２】
前記課題は、請求項３に係る二次元コードによれば、二進コードで表されるデータを区分されたセル毎の彩色の濃淡によって表現するデータパターン、及び、前記データパターンの位置を特定するためのマーカパターンを、二次元のマトリックス上の所定位置に配置して生成されるシンボル領域と、二進コードで表されるデータを含まないイメージパターンと、を重ね合わせて生成される二次元コードであって、前記データパターンは、濃色に着色される領域が単一のセルの面積よりも小さいセルを有して構成され、前記マーカパターンは非対称な図形で構成され、前記イメージパターンは、前記シンボル領域の背景側に描かれる背景パターンと、前記シンボル領域の前景側に描かれるストロークパターンと、からなり、前記背景パターンは、淡色に着色されると共に、少なくとも前記シンボル領域の一部に重なる範囲に配置され、前記ストロークパターンは、淡色若しくは濃色に着色されると共に、少なくとも前記シンボル領域の一部に重なる範囲に配置されることにより解決される。
【００１３】
このように、濃色に着色される領域が単一のセルの面積よりも小さいセルを有して構成されるデータパターンと非対称な図形で構成されるマーカパターンとを所定位置に配置して生成されるシンボル領域と、淡色に着色されると共に、少なくともシンボル領域の一部に重なる範囲に配置される背景パターンと、淡色若しくは濃色に着色されると共に、少なくともシンボル領域の一部に重なる範囲に配置されるストロークパターンとを重ね合わせて二次元コードが生成されることにより、データの読み取りができ、且つ、曲線若しくは非対称な線図から構成される図形によってシンボル領域を構成することができ、また、シンボル領域の背景及び前景に任意のイメージ像を描くことができる。そのため、二次元コード全体から無味乾燥な印象を払拭することができると共に、背景パターン及びストロークパターンによって視覚的な情報を付加することができ、より高い意匠性を有する二次元コードを得ることができる。
【００１４】
前記課題は、請求項４に係る二次元コードによれば、二進コードで表されるデータを区分されたセル毎の彩色の濃淡によって表現するデータパターン、及び、前記データパターンの位置を特定するためのマーカパターンを、二次元のマトリックス上の所定位置に配置して生成されるシンボル領域と、二進コードで表されるデータを含まないイメージパターンと、任意の図形若しくは団体名が表示されたロゴイメージと、を重ね合わせて生成される二次元コードであって、前記データパターンは、濃色に着色される領域が単一のセルの面積よりも小さいセルを有して構成され、前記マーカパターンは非対称な図形で構成され、前記イメージパターンは、前記シンボル領域の背景側に描かれる背景パターンと、前記シンボル領域の前景側に描かれるストロークパターンと、からなり、前記背景パターンは、淡色に着色されると共に、少なくとも前記シンボル領域若しくは前記ロゴイメージの一部に重なる範囲に配置され、前記ストロークパターンは、淡色若しくは濃色に着色されると共に、少なくとも前記シンボル領域若しくは前記ロゴイメージの一部に重なる範囲に配置されることにより解決される。
【００１５】
このように、濃色に着色される領域が単一のセルの面積よりも小さいセルを有して構成されるデータパターンと非対称な図形で構成されるマーカパターンとを所定位置に配置して生成されるシンボル領域と、淡色に着色されると共に、少なくともシンボル領域の一部に重なる範囲に配置される背景パターンと、淡色若しくは濃色に着色されると共に、少なくともシンボル領域の一部に重なる範囲に配置されるストロークパターンと、任意の図形若しくは団体名が表示されたロゴイメージと、を重ね合わせて二次元コードが生成されることにより、データの読み取りができ、且つ、曲線若しくは非対称な線図から構成される図形によってシンボル領域を構成することができ、また、シンボル領域の背景及び前景に任意のイメージ像を描くことができる。そのため、二次元コード全体から無味乾燥な印象を払拭することができると共に、背景パターン、ストロークパターン及びロゴイメージによって視覚的な情報を付加することができ、より高い意匠性を有する二次元コードを得ることができる。
【００１６】
具体的には、請求項５のように、前記データパターンは、淡色に着色されるセルの一部が濃色に着色されると共に、濃色に着色される領域同士の境界部分が濃色に着色される部分を有すると好適である。
このように、二次元コードが、淡色に着色されるセルの一部が濃色に着色されると共に、濃色に着色される領域同士の境界部分が濃色に着色される部分を有するデータパターンを有して構成されることにより、視覚的に従来と異なる印象を二次元コードに与えることができ、より高い意匠性及び付加価値を有する二次元コードを得ることができる。
【００１７】
また、請求項６のように、前記マーカパターンは、前記ロゴイメージに含まれる図形を有してなると好適である。
上記構成によって、ロゴイメージを有するマーカパターンを二次元コードの構成要素として用いることができるため、より高い意匠性及び付加価値を有する二次元コードを得ることができる。
【００１８】
また、具体的には、請求項７のように、前記データパターン若しくは前記マーカパターンは、淡色に着色された領域と濃色に着色された領域との境界に着色される色彩の明度が連続して変化すると好適である。
上記構成によって、淡色に着色された領域と濃色に着色された領域との境界を不明確にすることができるため視覚的に従来と異なる印象を二次元コードに与えることができ、より高い意匠性及び付加価値を有する二次元コードを得ることができる。
【発明の効果】
【００１９】
請求項１乃至４によれば、二次元コード全体から無味乾燥な印象を払拭することができると共に視覚的な情報を付加することができるため、より高い意匠性を有する二次元コードを得ることができる。
請求項５によれば、視覚的に柔らかい印象を二次元コードに与えることができ、より高い意匠性及び付加価値を有する二次元コードを得ることができる。
請求項６によれば、団体名などの情報を視覚的に付加することができるため、より高い意匠性及び付加価値を有する二次元コードを得ることができる。
請求項７によれば、淡色に着色された領域と濃色に着色された領域との境界をぼかすことで視覚的に柔らかい印象を二次元コードに与えることができ、より高い意匠性及び付加価値を有する二次元コードを得ることができる。
【発明を実施するための最良の形態】
【００２０】
以下、本発明の実施形態について、図面を参照して説明する。なお、以下に説明する部材，配置等は本発明を限定するものでなく、本発明の趣旨の範囲内で種々改変することができることは勿論である。
【００２１】
図１乃至６は本発明に係る一実施形態を示し、図１はＱＲコードを示す説明図、図２はＱＲコードを構成するパターンの分解図、図３は背景パターンの他の構成例、図４はデータパターンの他の構成例、図５はマーカパターンの他の構成例、図６はストロークパターンの他の構成例である。なお、図７は従来の１型ＱＲコードの例を示す説明図である。
【００２２】
まず、図１及び図２に基づき、本発明の実施形態に係るＱＲコード１の構成を説明する。
ＱＲコード１は、データパターン２５と、３つのマーカパターン２１と、イメージパターンと、ロゴイメージ１５とを重ね合わせて一体として構成されている。また、イメージパターンは、背景パターン２７とストロークパターン２９とから成り立っている。
なお、本実施形態に係るＱＲコード１は、シンボル領域が２１×２１のセルから構成される１型ＱＲコードとして構成されているが、他の型にも適用可能なことはもちろんである。
【００２３】
ここで、従来の１型ＱＲコード１０１の構成について説明する（図７、及び、ＪＩＳ  Ｘ０５０１：２００４参照）。
一般的なＱＲコードは、シンボル領域３を有しており、このシンボル領域は、正方形のセル４を真性正方形配列に並べた、符号化領域５及び機能化パターンと、それらの周囲を取り囲むクワイエットゾーン９とから構成されている。
【００２４】
機能化パターンは、位置検出パターン１１及び分離パターン１２などの組み合わせとして構成されている。
符号化領域５は、機能化パターン以外のデータの符号化及び誤り訂正コード語に使用される。
クワイエットゾーン９は、上述のように、符号化領域５と機能化パターン７からなる領域の四辺の周囲を取り囲む白色若しくは淡色の領域であり、１型ＱＲコード１０１と周囲の模様とを区別している。
なお、セル４は、シンボル領域３を構成する単位セルであり、１ビットが１セルに相当する。
【００２５】
位置検出パターン１１は、シンボル領域３の四隅の内の三隅に配置される所定の図形で構成されるパターンであり、図７に示したように、各位置検出パターン１１のモジュール幅は、Ｘ方向，Ｙ方向共に、１：１：３：１：１の比率をもつ暗−明−暗−明−暗の列で構成されることが標準である。
また、位置検出パターン１１の周囲は、符号化領域と区別するための白色（淡色）の分離パターンで囲まれている。
【００２６】
次に、ＱＲコード１の読み取り精度について説明する。
位置検出パターン１１を読み取るアルゴリズムにおいて、符号語の読み取り幅の許容値は０．５である。すなわち、一個のセル４からなるモジュールに対しては０．５〜１．５の範囲、３個のセル４からなるモジュールに対しては２．５〜３．５の範囲を許容している。このように、画像にある程度の歪みが生じた場合でも読み取り時に復号ソフトウェアが画像の座標マップを再構成することを可能にしている。
【００２７】
同様に、符号化領域５のセル４を読み取るアルゴリズムにおいても、読み取り可能なセル４の幅や大きさには許容値を有しており、読み取り画像にある程度の歪みが生じた場合にも座標マップを再構成することを可能にしている。
また、符号化領域５は、符号化したデータを表示するデータブロックの他に、符号語の読み取り誤りを訂正するためのデータを表示する誤り訂正ブロックが設けられており、この誤り訂正ブロックによって、シンボル領域３中の符号語を最大３０％まで復元することができる。
【００２８】
以下に、本実施形態におけるＱＲコード１を構成するデータパターン２５とマーカパターン２１と背景パターン２７とストロークパターン２９とロゴイメージ１５のそれぞれについて説明する。
図２（ａ）に示したデータパターン２５は、上述した符号化領域５に相当し、データが淡色若しくは濃色に着色されたセル４の配列として符号化された領域である。ここで、符号化領域５のセル４配列を読み取るアルゴリズムには、上述のように、許容値が設けられているため各セル４のそれぞれの全体に着色しなくとも読み取ることができる。すなわち、２１×２１（１型ＱＲコードの場合）の区画に分割されたそれぞれの正四角形状のセル４の全体が着色される必要はない。各セル４の中心部分が所定の閾値を超える濃色若しくは淡色に着色されていれば符号化されたデータを読み取ることができる。
なお、各セル４の中心部分とは、各セル４の中央部分を中心として、セル４の面積に対して３０％程度の領域をいうが、セル４の面積に対して１０％程度の面積であっても読み取りが可能な場合がある。
【００２９】
本実施形態においては、所定のセル４の少なくとも中心部分を濃色に着色する一方、濃色に着色されたセル４の中心部分の間の隙間を同じく濃色で連結して幾何学模様を構成している。この際、淡色に着色されるセル４であっても、その中心部分を除く縁部分に必要に応じて濃色に着色することでデータパターン２５の模様を一体感のある連続的且つ意匠性に優れたものとしている。さらに、着色される濃色を２種類の色に塗り分けることで一層意匠性に優れたものとしている。もちろん、読み取りの際の閾値を超える濃色であればさらに多くの色彩を用いて着色することができる。
このように、データパターン２５を構成することで、データを読み取り可能としつつ、符号化領域５の意匠性の向上を図っている。
【００３０】
また、誤り訂正によるデータの復元を考慮すると、所定の割合までデータの符号語の読み取りの誤りを復元できることから、データパターン２５の作製段階において、所定量までは、セル４の中心部分の着色を任意の色彩に着色しても、ＱＲコード全体としては正確なデータを読み取ることができ、一層の意匠性向上を図ることができる。
【００３１】
図２（ｂ）に示した本実施形態におけるマーカパターン２１は、上述した位置検出パターン１１に相当している。位置検出パターン１１を読み取るアルゴリズムは、各パターンに０．５の許容値を有しているため、各位置検出パターン１１のモジュール幅の比率は、０．５〜１．５：０．５〜１．５：２．５〜３．５：０．５〜１．５：０．５〜１．５の範囲内であれば正常に読み取ることができる。また、位置検出パターン１１はモジュール幅の比率によって検出されるため、位置検出パターン１１の形状は正確な四角形若しくは相似形の図形でなくとも位置情報を読み取ることができる。
【００３２】
本実施形態においては、マーカパターン２１を上述のモジュール幅の比率の範囲内で適宜変更して意匠性の向上を図っている。具体的には、マーカパターン２１の濃色に着色された外枠２１ａ（位置検出パターン１１の外枠１１ａに相当）を、幅が変動した複雑な屈折した略四角形状の枠として意匠化している。また、マーカパターン２１の中心部２１ｂ（位置検出パターン１１の中心部１１ｂに相当）の濃色部の形状も変形させることで、マーカパターン２１全体として、同心状に相似形の図形を構成せず、非対称な図形で構成されている。具体的には、Ｘ方向若しくはＹ方向に対して線対称性を有さない図形、または回転対称性を有さない図形として構成されている。こうして、マーカパターン２１を非対称な図形から構成することにより、無味乾燥な印象を払拭してより多彩な表現が可能となり、意匠性の向上を図ることができる。
【００３３】
図２（ｃ）に示した本実施形態における背景パターン２７は、読み取り際の閾値を超えない淡色によって着色された像であり任意の像が描かれている。読み取り際の閾値を超えない淡色のみを用いて描かれているため、符号化領域５や位置検出パターン１１などの読み取りに影響することがない。背景パターン２７を重ねることができる範囲にも制限がないため、クワイエットゾーン９にも重ねることができる。従って、ＱＲコード１が表示される広告媒体若しくは商品又は商品容器の意匠と一体化した背景パターンを選択することができる。もちろん、淡色であれば複数の色彩を用いてもよい。
【００３４】
図２（ｄ）に示した本実施形態におけるストロークパターン２９は、データパターン２５及びマーカパターン２１の前景として重ね合わせられるパターンであり、淡色若しくは濃色を用いて描かれている。具体的には、蛇行して描かれた細い線状若しくは斑点状の模様である。データパターン２５及びマーカパターン２１の読み取りに影響を与えないように配置することでＱＲコード１の意匠にアクセントを付加することができ、意匠性及び表現力の一層の自由度の向上を図っている。
【００３５】
また、本実施形態におけるロゴイメージ１５は、ＱＲコード１の上側に配置される図形としてのロゴマーク１５ａ及びロゴタイプ１５ｂからなるものである。クワイエットゾーン９を挟んでシンボル領域３の上側に配置されているため、ＱＲコード１のデータの読み取りには影響しないがＱＲコード１の意匠性に影響する。例えば、標章やキャラクターなどのロゴマーク１５ａと団体名を表すロゴタイプ１５ｂとを組み合わせて配置することができる。なお、ロゴイメージ１５のうち、淡色で構成されている部分は、読み取り精度に影響を与えないため、クワイエットゾーン９内に配置してもよい。
【００３６】
上述のように作製した、データパターン２５、マーカパターン２１、背景パターン２７、ストロークパターン２９、ロゴイメージ１５、のそれぞれを重ね合わせることでＱＲコード１が生成される。
この際、背景パターン２７の手前側に、データパターン２５及びマーカパターン２１からなるシンボル領域２３を配置し、さらにその手前側に、ストロークパターン２９を配置すると共に、シンボル領域２３の上側に任意のロゴイメージ１５を配置してＱＲコード１が完成する。
【００３７】
このように、ＱＲコード１を構成することにより、支障なくデータの読み取りができ、且つ、曲線から構成される図形を中心としてシンボル領域を構成することができ、また、シンボル領域の背景及び前景に任意の背景パターン２７やストロークパターン２９などのイメージパターンを描くことができる。そのため、二次元コード全体から無味乾燥な印象を払拭することができると共に、背景パターン２７、ストロークパターン２９及びロゴイメージ１５によって人間の視覚を通じて観念できる情報を付加することができる。視覚的な情報により意匠性が向上し、付加価値の向上を図ることができる。
【００３８】
図３乃至図６に、上述したＱＲコード１を構成する背景パターン２７、データパターン２５、マーカパターン２１、ストロークパターン２９の他の構成例を示す。
以下に示すそれぞれの構成例から任意のデータパターン２６、マーカパターン２２、背景パターン２８、ストロークパターン３０を選択して重ね合わせることでＱＲコード２を構成することができる。なお、背景パターン２８及びストロークパターン３０については、それぞれ複数のパターンを選択して重ね合わせてもよい。もちろん、任意のロゴイメージ１５を配置してもよい。
【００３９】
図３（ａ）〜（ｄ）は、背景パターン２８の他の構成例を示している。背景パターン２８は、読み取りの際の閾値を超えない淡色のみによって着色されていればデータの読み取りに影響しない。このため、シンボル領域２４の大きさに関わらず、任意の大きさと形状に構成することができ、例えば、円形状，星形状，不定形状，文字，キャラクターなどの形状とすることができ、彩色も読み取り際の閾値を超えない淡色であれば任意の色を用いることができる。また、商品や包装容器が淡色であればそのまま商品や包装容器を背景として用いてもよい。
【００４０】
図４（ａ）〜（ｄ）は、データパターン２６の他の構成例を示している。各セル４の中心部分が所定の閾値を超える濃色若しくは淡色に着色されていればデータパターン２６に符号化されたデータを読み取ることができるため、各セル４の中心部分以外には任意の意匠を施すことができる。例えば、隣接するセル４の中心部分に着色された濃色を連結して、針状，弓形状，円形状，楕円形状，菱形状，花形状，星形状，不定形状，幾何学模様などの形状を表現することができる。
また、濃色と淡色との境目の明度を連続的に変化させてもよい。淡色に着色された領域と濃色に着色された領域との境界を不明確にすることができるため視覚的に柔らかい印象を二次元コードに与えることができ、より高い意匠性及び付加価値の向上を図ることができる。
【００４１】
図５（ａ）〜（ｈ）は、マーカパターン２２の他の構成例を示している。位置検出を行うアルゴリズムの許容値範囲内で、マーカパターン２２の形状を任意に変更することができる。
また、マーカパターン２２は、所定のモジュール幅の比率を満たすＸ方向，Ｙ方向のそれぞれの幅の中心座標で位置検出が行われるため、この所定のモジュール幅の比率を満たす濃色で描かれた模様がＸ方向とＹ方向のそれぞれに構成されていれば位置検出は正常に行われる。
【００４２】
具体的には、マーカパターン２２のうち、濃色に着色された外枠２２ａは、四角形以外の形状の枠に変形することができ、略菱形，略円形，不定形状などの枠とすることができる。
マーカパターン２２の中心部２２ｂの四角形の濃色部の形状も、略菱形，略円形，不定形状などの四角形以外の形状に変形させても位置検出を正常に行うことができる。
特に、図５（ａ）乃至（ｃ），（ｅ）に示すように、マーカパターン２２の外枠２２ａと中心部２２ｂが、同心状に相似形の図形を構成せず、非対称な図形とされると好適である。さらに、図５（ｄ）に示すような団体のロゴマークをマーカパターンの一部として使用してもよい。具体的には、ロゴマークの外側に位置検出パターンの外枠に相当する枠型若しくはそれに相当する図形を描いてもよい。ここで、非対称な図形とは、例えば、Ｘ軸，Ｙ軸方向に対して線対称性を有しない図形、若しくは、マーカパターン２２の中心に対して点対称性を有しない図形をいう。
【００４３】
もちろん、濃色と淡色との境目の明度を連続させて変化させてもよい。
マーカパターン２２をこのように構成することで、従来にない、より高い意匠性及び付加価値の向上を図ることができる。
さらに、ＱＲコード１の傾きを傾斜させない表示形式であれば、外側の四角の枠に代えて、４本に分割された線、又は、複数の略円形や略方形などの模様として描いても位置検出を行うことができる場合がある。
【００４４】
図６（ａ）〜（ｄ）は、ストロークパターン３０の他の構成例を示している。ストロークパターン３０は、濃色及び淡色のいずれに着色されてもよいが、データパターン２６及びマーカパターン２２の読み取りに影響を与えないように配置される必要があり、細い線状若しくは斑点状の模様、若しくは文字などとして構成されると好適である。なお、ストロークパターン３０の形状や大きさには特に制限はなく、シンボル領域２４に対して任意の位置に配置することができ、一部又は全部が重なるようにすることができる。
ストロークパターン３０を、ＱＲコード２の前景として重ね合わせることで、意匠性及び表現力の一層の自由度の向上を図ることができる。
【００４５】
上述したように、ＱＲコード１，２を構成する背景パターン２７，２８、データパターン２５，２６、マーカパターン２１，２２、ストロークパターン２９，３０、及び、任意のロゴイメージ１５を任意に組み合わせることにより、ＱＲコード２の意匠の自由度を一層向上することができ、今までにない印象を与えることができるため、より高い意匠性及び付加価値を有する二次元コードを提供することができる。
【図面の簡単な説明】
【００４６】
【図１】本発明の一実施形態に係るＱＲコードの説明図である。
【図２】本発明の一実施形態に係るＱＲコードを構成するパターンの分解図である。
【図３】本発明の一実施形態に係る背景パターンの他の構成例である。
【図４】本発明の一実施形態に係るデータパターンの他の構成例である。
【図５】本発明の一実施形態に係るマーカパターンの他の構成例である。
【図６】本発明の一実施形態に係るストロークパターンの他の構成例である。
【図７】従来の１型ＱＲコードの例を示す説明図である。
【符号の説明】
【００４７】
１，２，１０１  ＱＲコード
３，２３，２４  シンボル領域
４  セル
５  符号化領域
９  クワイエットゾーン
１１  位置検出パターン
１１ａ，２１ａ，２２ａ  外枠
１１ｂ，２１ｂ，２２ｂ  中心部
１２  分離パターン
１５  ロゴイメージ
１５ａ  ロゴマーク
１５ｂ  ロゴタイプ
２１，２２  マーカパターン
２５，２６  データパターン
２７，２８  背景パターン
２９，３０  ストロークパターン
【図１】
2010026665.tif 000003
【図２】
2010026665.tif 000004
【図３】
2010026665.tif 000005
【図４】
2010026665.tif 000006
【図５】
2010026665.tif 000007
【図６】
2010026665.tif 000008
【図７】
2010026665.tif 000009